(57)【特許請求の範囲】
【請求項１】
建物開口部の上方に設けられ建物躯体に固定される一対のスチール製の側部ブラケットと、
前記側部ブラケットの各外側にそれぞれ設けられる一対の側部化粧板にアルミ合金製の天板の天板両端部を固定して前記側部化粧板と前記天板に包囲される正面開口がスチール製の正面板によって塞がれる収納部と、
前記天板の下方で該天板に覆われて後端縁が前記躯体に固定されるとともに前端縁が前記正面板に固定されるスチール製の耐火補強板と、
を具備し、
前記耐火補強板の前端部と前記正面板の上端部との間の挟持間隔に前記天板の前端縁が挟持されて固定されており、耐火補強板の上面と天板の下面との間には空間が形成され、天板によって覆われる空間内部において耐火補強板の後端縁が建物躯体に固定されていることを特徴とするシャッター装置の防火構造。
【請求項２】
請求項１記載のシャッター装置の防火構造であって、
前記耐火補強板が前記前端縁に向かって下り勾配で傾斜していることを特徴とするシャッター装置の防火構造。
【請求項３】
請求項１または請求項２記載のシャッター装置の防火構造であって、
前記耐火補強板両端縁が一対の前記側部ブラケットに固定されていることを特徴とするシャッター装置の防火構造。
【請求項４】
請求項３記載のシャッター装置の防火構造であって、
前記天板両側端部にはネジ固定部が形成され、天板は前記側部化粧板の外側から貫通する固定ネジがネジ固定部に挿入固定されることにより、一対の側部化粧板間の内側に架け渡されて固定されていることを特徴とするシャッター装置の防火構造。
【請求項５】
請求項１乃至４のいずれか１つに記載のシャッター装置の防火構造であって、
前記収納部の両側から垂下して前記躯体に固定される一対のガイドレールと、
前記一対のガイドレールのレール下端部を連結する下枠と、
前記レール下端部及び前記下枠の連結された出隅部を外側から覆って前記レール下端部及び前記下枠に固定されるスチール製の出隅部補強部材と、  
を具備することを特徴とするシャッター装置の防火構造。
【請求項６】
請求項５記載のシャッター装置の防火構造であって、
前記出隅部補強部材が、前記ガイドレールの内部に配設されるスチール製のガイドレール補強部材に、前記ガイドレールを挟んで共締め締結されることを特徴とするシャッター装置の防火構造。
【発明の詳細な説明】
【技術分野】
【０００１】
本発明は、シャッター装置の防火構造に関する。
【背景技術】
【０００２】
シャッター装置の収納部は、防錆性や意匠性等を考慮して、アルミやアルミ合金を素材とする部品や、樹脂を素材とする部材等が多用される。これらの部材は、アルミ製品であることで、防錆性、意匠性に加え、成形性、加工性も良好で、水密性にも優れる。一般的にシャッター装置は、建物躯体に一対のスチール製の側部ブラケットが固定され、その外側にアルミ合金製の側部化粧板が設けられる。一対の側部化粧板には、アルミ合金製の天板が架け渡される。側部化粧板と天板とに囲まれた正面開口は、スチール製の正面板によって塞がれ、シャッター装置の収納部が形成される。この収納部の左右には、アルミ合金製の一対のガイドレールが躯体に固定されて垂下し、レール下端部同士にはアルミ合金製の下枠が連結される。このように、シャッター装置は、外部に表出する部材の殆どがアルミ合金製となることで、防錆性、意匠性、成形性、加工性、さらには軽量であることで施工性が良好なものとしている。（特許文献１参照）
【先行技術文献】
【特許文献】
【０００３】
【特許文献１】特開２００８−４５２７０号公報
【発明の概要】
【発明が解決しようとする課題】
【０００４】
しかしながら、アルミ合金製の部材は熱によって溶けやすい不利もある。このため、火事などでの外部からの延焼では、収納部の天板が炎で溶けると、溶けた溶融アルミが収納部の内方に落ちる。この溶融アルミは、およそ８００℃の高温のまま収納部内を落ちる。収納部内に落ちた溶融アルミは、やがて下枠に至り、アルミ合金製の下枠を熱により変形させたり、その熱によって溶け、突き破ったりする虞がある。下枠に穴が開けば、外部からの炎が容易に通過してしまい、シャッター装置の防火性能を著しく低下させてしまうこととなった。
【０００５】
また、図７に示すように、建物開口を閉ざすカーテン部５０１は、スチール製等の複数のスラット５０３を重力方向に連結してなり、通常状態では下枠に全荷重が加わらないように長さＬの調節がなされている。ところが、火災による熱で金属製の各スラット５０３は折り曲げなどによる塑性変形状態がスラット自体の重みで垂下方向に引っ張られ再び変形を起こしてしまい、カーテン部５０１が伸び代Δａだけ伸びると、カーテン部５０１の全荷重が下枠に加わってしまう。このため、火災の熱で強度が低下していることも相俟って、アルミ合金製の下枠がカーテン部５０１の重みで突き破られてしまう虞がある。
【０００６】
本発明は上記状況に鑑みてなされたもので、その目的は、従来の構成部材を変更せずに下枠の溶け落ちが防止され、耐火性能が向上するシャッター装置の防火構造を提供することにある。
【課題を解決するための手段】
【０００７】
次に、上記の課題を解決するための手段を、実施の形態に対応する図面を参照して説明する。
本発明の請求項１記載のシャッター装置１１の防火構造は、建物開口部１５の上方に設けられ建物躯体２５に固定される一対のスチール製の側部ブラケット２９と、
該側部ブラケット２９の各外側にそれぞれ設けられる一対の側部化粧板３９にアルミ合金製の天板４１の天板両端部４７を固定して前記側部化粧板３９と前記天板４１に包囲される正面開口５１がスチール製の正面板５３によって塞がれる収納部１９と、
前記天板４１の下方で該天板４１に覆われて後端縁７１が前記躯体２５に固定されるとともに前端縁７３が前記正面板５３に固定されるスチール製の耐火補強板６９と、
を具備し、
前記耐火補強板の前端部と前記正面板の上端部との間の挟持間隔に前記天板の前端縁が挟持されて固定されており、耐火補強板の上面と天板の下面との間には空間が形成され、天板によって覆われる空間内部において耐火補強板の後端縁が建物躯体に固定されていることを特徴とするすることを特徴とする。
【０００８】
このシャッター装置１１の防火構造では、耐火補強板６９が天板４１の空間を隔てたすぐ下にあり、アルミ製の天板４１が火災の熱によって溶けても、耐火補強板６９によって受けられて、正面板５３の表面側を流れ落ち、収納部１９の内方に落ちることがない。これにより、溶融アルミがカーテン部１３の外側へ排出され、高温となった溶融アルミが下枠５９へ落下し、下枠５９を溶かすことがない。
【０００９】
本発明の請求項２記載のシャッター装置１１の防火構造は、請求項１記載のシャッター装置１１の防火構造であって、
前記耐火補強板６９が前記前端縁７３に向かって下り勾配で傾斜していることを特徴とする。
【００１０】
このシャッター装置１１の防火構造では、溶融アルミが、重力によって耐火補強板６９の下り勾配によって速やかに流下し、耐火補強板６９上に滞留しなくなる。これにより、滞留した高温の溶融アルミからの熱の伝導が回避される。
【００１１】
本発明の請求項３記載のシャッター装置１１の防火構造は、請求項１または２記載のシャッター装置１１の防火構造であって、
補強板両端縁８３が一対の前記側部ブラケット２９に固定されていることを特徴とする。
【００１２】
このシャッター装置１１の防火構造では、躯体２５に固定された左右垂直方向の側部ブラケット２９に、補強板両端縁８３が載置された状態で固定され、収納部１９内にスチール製の門形構造体が形成される。この門形構造体が内方に形成されることで、従来のアルミ合金製だけの収納部１９に比べて、収納部１９の耐火強度が高められる。
【００１３】
本発明の請求項４記載のシャッター装置の防火構造は、請求項３記載のシャッター装置の防火構造であって、前記天板両側端部にはネジ固定部が形成され、天板は前記側部化粧板の外側から貫通する固定ネジがネジ固定部に挿入固定されることにより、一対の側部化粧板間の内側に架け渡されて固定されていることを特徴とする。
本発明の請求項５記載のシャッター装置１１の防火構造は、請求項１乃至４のいずれか１つに記載のシャッター装置１１の防火構造であって、
前記収納部１９の両側から垂下して前記躯体２５に固定される一対のガイドレール５７と、
前記一対のガイドレール５７のレール下端部６５を連結する下枠５９と、
前記レール下端部６５及び前記下枠５９の連結された出隅部６７を外側から覆って前記レール下端部６５及び前記下枠５９に固定されるスチール製の出隅部補強部材９１と、
を具備することを特徴とする。
【００１４】
請求項４の構成では、両側部化粧板がアルミ合金製の天板に対し強固に固定される。
請求項５のシャッター装置１１の防火構造では、下枠５９を支持するレール下端部６５との出隅部６７が、出隅部補強部材９１によって火炎から遮蔽され、外部の火炎によって容易に溶けなくなる。また、レール下端部６５と下枠５９とがスチール製の出隅部補強部材９１によって連結補強され、従来のアルミ合金製のみの連結に比べ、高温に対する固定強度が向上する。
【００１５】
本発明の請求項６記載のシャッター装置１１の防火構造は、請求項５記載のシャッター装置１１の防火構造であって、
前記出隅部補強部材９１が、前記ガイドレール５７の内部に配設されるスチール製のガイドレール補強部材９９に、前記ガイドレール５７を挟んで共締め締結されることを特徴とする。
【００１６】
このシャッター装置１１の防火構造では、出隅部６７を覆うスチール製の出隅部補強部材９１が、アルミ合金製のガイドレール５７の内方に配置されたスチール製のガイドレール補強部材９９と共締めされる。これにより、出隅部補強部材９１が、アルミ合金製のガイドレール５７のみに固定される場合の熱によるネジ穴の拡がりによる固定強度の低下が発生し難くなる。
【発明の効果】
【００１７】
本発明に係る請求項１記載のシャッター装置の防火構造によれば、天板の空間を隔てた下方に位置する耐火補強板を設けたことで、火災による熱で溶けてしまう天板の流れ方向を変えることとなり、従来の構成部材を変更せずに下枠の溶け落ちを防止し、耐火性能を向上させることができる。
【００１８】
本発明に係る請求項２記載のシャッター装置の防火構造によれば、溶けたアルミを速やかに流し落として、シャッター装置への熱の影響を少なくできる。
【００１９】
本発明に係る請求項３記載のシャッター装置の防火構造によれば、補強板両端縁をスチール製の側部ブラケットによって支持でき、高温での支持強度を高めることができる。また、側部ブラケットがスチール製の耐火補強板によって連結されることで、収納部の強度を高めることができる。
【００２０】
本発明の請求項４の構成では、両側部化粧板がアルミ合金製の天板に対し容易且つ強固に固定される。
本発明に係る請求項５記載のシャッター装置の防火構造によれば、アルミ合金製のレール下端部及び下枠の連結された出隅部に、スチール製の出隅部補強部材を固定することで、高温での下枠の支持強度を高めて、下枠を脱落し難くできる。
【００２１】
本発明に係る請求項６記載のシャッター装置の防火構造によれば、下枠を支持する出隅部補強部材が、ガイドレール内方のガイドレール補強部材に固定されるので、出隅部補強部材の躯体に対する高温での固定強度を高めることができる。その結果、下枠をより脱落し難くできる。
【図面の簡単な説明】
【００２２】
【図１】本発明に係る防火構造を備えたシャッター装置の外観斜視図である。
【図２】図１に示したシャッター装置の縦断面図である。
【図３】図２に示した収納部の要部正面図である。
【図４】図２に示した収納部の拡大図である。
【図５】図１に示したガイドレールと下枠との出隅部を斜め下方より見た斜視図である。
【図６】図５に示したガイドレールの平断面図である。
【図７】加熱による伸び状況を例示したカーテン部の縦断面図である。
【発明を実施するための形態】
【００２３】
以下、本発明に係る実施形態を図面を参照して説明する。
図１は本発明に係る防火構造を備えたシャッター装置の外観斜視図である。
本実施形態に係るシャッター装置１１の防火構造は、例えばカーテン部１３を用いて建物開口部１５を開閉するシャッター装置１１に好適に用いることができる。シャッター装置１１は、例えば住宅の窓部を構成するサッシ窓１７の外側に取り付けられる。
【００２４】
シャッター装置１１は、建物開口部１５の上方に収納部１９が取り付けられる。収納部１９は、カーテン部１３や巻取装置を収納している。カーテン部１３は、アルミ製やスチール製のスラット２１を複数連結した一般的なカーテン部１３の他、パネル材や樹脂製シート状のカーテン部１３とすることもできる。カーテン部１３は、操出方向の最先端、即ち、全閉時での下端に、水切スラット２３を有している。
【００２５】
なお、シート状のカーテン部１３は、他の樹脂にて構成されるシート材や、ゴムシート材、織布や、樹脂製ネットスクリーン、金属製ネットスクリーン、シリカクロス、ガラスクロス等を素材とする構成や、これら素材を複合や積層させた素材等としてもよく、このカーテン部１３を構成する素材を、耐火性，防火性，防炎性を有する素材とすることができる。
【００２６】
図２は図１に示したシャッター装置１１の縦断面図、図３は図２に示した収納部１９の要部正面図、図４は図２に示した収納部１９の拡大図である。
シャッター装置１１は、建物躯体２５である例えば柱２７に一対のスチール製の側部ブラケット２９が固定される。それぞれの側部ブラケット２９の内側には軸受金具３１が対向して固定され、軸受金具３１は巻取軸３３の両端を支持している。巻取軸３３には巻取ホイール３５が回転自在に支持され、巻取ホイール３５はカーテン部１３の操出方向後端である吊元３７を固定する。
【００２７】
側部ブラケット２９の外側には、アルミ合金製、または樹脂製の側部化粧板３９が設けられる。一対の側部化粧板３９には、アルミ合金製の天板４１が架け渡される。図４に示すように、天板４１は、左右方向に長い長尺板で、長手方向直交方向の断面形状が略Ｌ字状に形成される。天板４１は、天板後端縁４３が躯体２５に固定ネジ４５で固定される。天板両端部４７（図３参照）には一対のネジ固定部４９が形成される。天板４１は、側部化粧板３９の外側から貫通する図示しない固定ネジがこのネジ固定部４９に締結されることで側部化粧板３９と固定される。側部化粧板３９と天板４１とに囲まれた正面開口５１は、スチール製の正面板５３によって塞がれ、上記の収納部１９が画成される。なお、収納部１９は、下面がさらにスチール製の下板５５によって塞がれる。
【００２８】
この収納部１９の左右には、アルミ合金製の一対のガイドレール５７が柱２７に固定されて垂下する。垂下した一対のガイドレール５７のレール下端部同士は、アルミ合金製の下枠５９によって連結される。下枠５９は、胴縁６１の上端に当接する。胴縁６１の表面は、外壁仕上材６３によって覆われる。従って、それぞれのレール下端部６５と下枠５９との連結部分は左右二箇所で出隅部６７となる。
【００２９】
シャッター装置１１は、これら外部に表出する側部化粧板３９、天板４１、ガイドレール５７、下枠５９がアルミ合金製となることで、成形性、加工性、防錆性、及び意匠性を良好なものとしている。
【００３０】
ところで、天板４１の下方にはスチール製の耐火補強板６９が設けられている。耐火補強板６９は、左右方向に長い長尺板で、長手方向直交方向の断面形状が略Ｌ字状に形成される。耐火補強板６９は、天板４１に覆われて図４に示す後端縁としての補強板後端縁７１が躯体２５に固定ネジ４５で固定されるとともに、前端縁としての補強板前端縁７３が正面板５３に締結ネジ７５で固定される。
【００３１】
耐火補強板６９は、補強板前端縁７３に向かって下り勾配で傾斜している。これにより、耐火補強板６９の上面に落下した液状物は、補強板前端縁７３に向かって流れることとなる。なお、補強板前端縁７３と正面板５３との固定端部７７には挟持間隙７９が形成される。この挟持間隙７９には、天板前端縁８１が挟持される。図３に示すように、補強板両端縁８３は、一対の側部ブラケット２９に載置され、この側部ブラケット２９に固定される。
【００３２】
図５は図１に示したガイドレール５７と下枠５９との出隅部６７を斜め下方より見た斜視図、図６は図５に示したガイドレール５７の平断面図である。
シャッター装置１１は、収納部１９の両側から垂下して躯体２５に固定される一対のガイドレール５７を有する。ガイドレール５７は、建物開口部１５を昇降するカーテン部１３の両側縁部８５を挟んで案内する。一対のガイドレール５７は、上記したように、レール下端部６５がアルミ合金製の下枠５９によって連結される。
【００３３】
ガイドレール５７は、図６に示すように、躯体２５に基端が固定ネジ４５で固定される外枠８７と、この外枠８７に固定されて建物開口部１５に配置されるレール部８９と、に大別構成される。図５に示すように、レール下端部６５及び下枠５９が連結されてなる出隅部６７は、外側からスチール製の出隅部補強部材９１によって覆われる。出隅部補強部材９１は、下枠５９の下面に当接する底板部９３と、底板部９３から起立して折り曲げられてガイドレール５７の外枠８７と平行となる起立板部９５と、底板部９３から起立して折り曲げられて下枠５９の前面に当接する前面片９７と、からなる。出隅部６７を覆った出隅部補強部材９１は、起立板部９５がレール下端部６５に、底板部９３が下枠５９に、それぞれ固定ネジ４５で固定される。
【００３４】
ガイドレール５７は、内方に、図６に示すスチール製のガイドレール補強部材９９が固定され、ガイドレール補強部材９９はガイドレール５７に沿って形成されている。出隅部補強部材９１は、上記の起立板部９５がこのガイドレール補強部材９９に、ガイドレール５７の外枠８７を挟んで固定ネジ４５にて共締め締結される。
【００３５】
次に、上記構成を有するシャッター装置１１における防火構造の作用を説明する。
シャッター装置１１の防火構造では、耐火補強板６９が天板４１のすぐ下にあり、アルミ製の天板４１が火災の熱によって溶けても、耐火補強板６９によって受けられる。溶けたアルミ（溶融アルミ）は、スチール製の正面板５３の表面を流れ落ち、収納部１９の内方に落ちることがない。これにより、高温となった溶融アルミがカーテン部１３の外側へ排出され、溶融アルミが下枠５９に落下して下枠５９を溶かすことがない。
【００３６】
耐火補強板６９が補強板前端縁７３に向かって下り勾配で取り付けられているので、溶融アルミは、重力によって耐火補強板６９に沿って速やかに流下し、耐火補強板上に滞留しなくなる。これにより、滞留した高温の溶融アルミからの熱の伝導が回避される。溶けたアルミを速やかに流し落として、シャッター装置１１への熱の影響を少なくできる。
【００３７】
また、シャッター装置１１の防火構造では、躯体２５に固定された左右垂直方向の側部ブラケット２９に、補強板両端縁８３が載置された状態で固定される。側部ブラケット２９がスチール製の耐火補強板６９によって連結されることで、収納部１９の強度を高めることができる。また、収納部内に、スチール製の門形構造体が形成される。この門形構造体が内方に形成されることで、従来のアルミ合金製だけの収納部に比べて、収納部１９の耐火強度が高められる。すなわち、補強板両端縁８３をスチール製の側部ブラケット２９によって支持しているので、高温での支持強度を高めることができる。
【００３８】
また、シャッター装置１１の防火構造では、下枠５９とレール下端部６５との出隅部６７が、出隅部補強部材９１によって火炎から遮蔽され、外部の火炎によって容易に溶けなくなる。また、レール下端部６５と下枠５９とがスチール製の出隅部補強部材９１によって連結補強され、従来のアルミ合金製のみの連結に比べ、高温に対する固定強度が向上する。このように、アルミ合金製のレール下端部６５及び下枠５９の連結された出隅部６７に、スチール製の出隅部補強部材９１を固定することで、高温での下枠５９の支持強度を高めて、下枠５９を脱落し難くできる。
【００３９】
さらに、出隅部６７を覆うスチール製の出隅部補強部材９１は、アルミ合金製のガイドレール５７の内方に配置されたスチール製のガイドレール補強部材９９と共締めされる。これにより、出隅部補強部材９１が、アルミ合金製のガイドレール５７のみに固定される場合の熱によるネジ穴の拡がりによる固定強度の低下が発生し難くなる。その結果、出隅部補強部材９１の躯体２５に対する高温での固定強度を高めて、下枠５９をより脱落し難くできる。
【００４０】
そして、シャッター装置１１の防火構造では、防火タイプではないシャッター装置に、容易に耐火部品の追加が可能となる。即ち、防火タイプではないシャッター装置はそのままで、耐火部品の追加のみで防火性能向上への対応が可能となる。
【００４１】
従って、本実施形態に係るシャッター装置１１の防火構造によれば、従来の構成部材を変更せずに下枠５９の溶け落ちを防止し、耐火性能を向上させることができる。
【００４２】
なお、上記実施形態では、耐火補強板６９、出隅部補強部材９１として鋼板が使用される例を説明したが、これら部材はこの他、セラミック等とすることもできる。また、加熱時の強度が増すように、例えばセラミックを吹き付けた他の素材との複合構造とすることもできる。また、天板４１、側部化粧板３９、ガイドレール５７は、不燃材料であればよく、アルミ合金以外のその他の素材であってもよい。
【符号の説明】
【００４３】
１１…シャッター装置
１５…建物開口部
１９…収納部
２５…躯体
２９…側部ブラケット
３９…側部化粧板
４１…天板
４７…天板両端部
５１…正面開口
５３…正面板
５７…ガイドレール
５９…下枠
６５…レール下端部
６７…出隅部
６９…耐火補強板
７１…後端縁（補強板後端縁）
７３…前端縁（補強板前端縁）
８３…補強板両端縁
９１…出隅部補強部材
９９…ガイドレール補強部材
【図１】
0005893311.tif 000002
【図２】
0005893311.tif 000003
【図３】
0005893311.tif 000004
【図４】
0005893311.tif 000005
【図５】
0005893311.tif 000006
【図６】
0005893311.tif 000007
【図７】
0005893311.tif 000008